(57)【要約】      （修正有）【課題】ＩＣもしくはＩＣとアンテナを内蔵しているパスポートに対して、外部からの電磁波よりパスポートを守り、個人情報データの破壊、盗難、複製、収集行為を防ぐ。【解決手段】ＩＣ部１４Ａとアンテナ１４Ｂを内蔵し、前記ＩＣ部に個人情報データ１５を記録しているパスポート１０に対して、外部からの電磁波を遮断する電磁波シールド繊維１６を用いて、牛革パスポートケース１８の牛革パスポートケース表面１９と牛革パスポートケース裏面の間全面に前記電磁波シールド繊維を挟み、外部からの前記電磁波からパスポート１０を守り、且つ個人情報データ１５の盗難を目的とした外部機器からの複製及び収集行為を防ぐ。【選択図】図３
0003115256.tif 000002
【実用新案登録請求の範囲】
【請求項１】
ＩＣもしくはＩＣとアンテナを内蔵し、前記ＩＣに個人情報データを記録しているパスポートに対して反応する電磁波を遮断するシート、もしくは前記シートを使用した複合素材、または電磁波を遮断する材料を使用した複合素材を用いて、前記パスポートの全面もしくは一部分に内蔵する構成にすることを特徴としたセキュリティーパスポート。
【請求項２】
ＩＣもしくはＩＣとアンテナを内蔵し、前記ＩＣに個人情報データを記録しているパスポートに対して反応する電磁波を遮断するシート、もしくは前記シートを使用した複合素材、または電磁波を遮断する材料を使用した複合素材を用いて、前記パスポートの全面もしくは一部分を挟む構成することを特徴としたセキュリティーパスポート。
【請求項３】
ＩＣもしくはＩＣとアンテナを内蔵し、前記ＩＣに個人情報データを記録しているパスポートに対して反応する電磁波を遮断するシート、もしくは前記シートを使用した複合素材、または電磁波を遮断する材料を使用した複合素材を用いて、前記パスポートの全面もしくは一部分を囲む構成することを特徴としたセキュリティーパスポート。
【考案の詳細な説明】
【技術分野】
【０００１】  本考案は、ＩＣもしくはＩＣとアンテナを内蔵し、前記ＩＣに個人情報データを記録しているＩＣ内蔵型パスポートに対して反応する電磁波を遮断するシート、もしくは前記シートを使用した複合素材、または電磁波を遮断する材料を使用した複合素材を用いて、前記ＩＣ内蔵型パスポートの全面もしくは一部分に内蔵する構成、前記ＩＣ内蔵型パスポートの全面もしくは一部分を挟む構成もしくは、前記ＩＣ内蔵型パスポートの全面もしくは一部分を囲む構成にしたセキュリティーパスポートに関するものである。
【背景技術】
【０００２】  従来のパスポートの材料として、外部は厚紙に樹脂などをコートした複合材、内部は紙、ラミネート紙及び前記紙に特殊印刷をしたもので構成されたものが一般的であったが、今後前記パスポートにＩＣもしくはＩＣとアンテナを内蔵し、前記ＩＣに個人情報データが書き込まれたＩＣ内蔵型パスポートが一般的に多く使用される。【０００３】  また今後の前記ＩＣ内蔵型パスポートであつたとしても素材は、前記従来のパスポートの材料と同様である。
【考案の開示】
【考案が解決しようとする課題】
【０００４】  しかしながら上述の様にＩＣ内蔵型パスポートでは、外部は厚紙に樹脂などをコートした複合材、内部は紙、ラミネート紙及び前記紙に特殊印刷をした前記紙の間にＩＣもしくはＩＣとアンテナが内蔵されており、前記ＩＣ内蔵型パスポート内の前記ＩＣに対して反応する外部からの電磁波を遮断することができずに前記ＩＣ内蔵型パスポートに対する外部からのセキュリティーがまったくなく、前記個人情報データの盗難を目的とした外部機器からの複製や収集行為及び前記ＩＣ内蔵型パスポート内の前記ＩＣ破壊を防ぐことができなかった。【０００５】  従って前記パスポートにＩＣもしくはＩＣとアンテナを内蔵し、前記ＩＣに個人情報データを記録しているＩＣ内蔵型パスポートに対して反応する電磁波を遮断するシート、もしくは前記シートを使用した複合素材、または電磁波を遮断する材料を使用した複合素材を前記ＩＣ内蔵型パスポートの全面もしくは一部分に内蔵する構成、前記ＩＣ内蔵型パスポートの全面もしくは一部分を挟む構成もしくは、前記ＩＣ内蔵型パスポートの全面もしくは一部分を囲む構成により、前記ＩＣ内蔵型パスポート内に記録されている前記個人情報データの破壊、盗難、複製、収集行為を防ぎ、前記ＩＣ内蔵型パスポートに対する安全性を高めて前記個人情報データに対する万全なセキュリティーが可能となり前述の問題を解決しようとするものである。
【課題を解決するための手段】
【０００６】  前記問題を解決するために、本考案に係るセキュリティーパスポートは、次のように構成したものである。【０００７】  即ち、本考案の請求項１に記載の考案は、ＩＣもしくはＩＣとアンテナを内蔵し、前記ＩＣに個人情報データを記録しているパスポートに対して反応する電磁波を遮断するシート、もしくは前記シートを使用した複合素材、または電磁波を遮断する材料を使用した複合素材を用いて、前記パスポートの全面もしくは一部分に内蔵する構成にすることを特徴としたセキュリティーパスポートである。【０００８】  本考案の請求項２に記載の考案は、ＩＣもしくはＩＣとアンテナを内蔵し、前記ＩＣに個人情報データを記録しているパスポートに対して反応する電磁波を遮断するシート、もしくは前記シートを使用した複合素材、または電磁波を遮断する材料を使用した複合素材を用いて、前記パスポートの全面もしくは一部分を挟む構成にすることを特徴としたセキュリティーパスポートである。【０００９】  本考案の請求項３に記載の考案は、ＩＣもしくはＩＣとアンテナを内蔵し、前記ＩＣに個人情報データを記録しているパスポートに対して反応する電磁波を遮断するシート、もしくは前記シートを使用した複合素材、または電磁波を遮断する材料を使用した複合素材を用いて、前記パスポートの全面もしくは一部分を囲む構成にすることを特徴としたセキュリティーパスポートである。
【考案の効果】
【００１０】  上述のように、本考案のセキュリティーパスポートは、外部は厚紙に樹脂などをコートした複合材、内部は紙、ラミネート紙及び前記紙に特殊印刷をしたもので構成されたものであり、ＩＣもしくはＩＣとアンテナを内蔵し、前記ＩＣに個人情報データを記録しているＩＣ内蔵型パスポートに対して反応する電磁波を遮断するシート、もしくは前記シートを使用した複合素材、または電磁波を遮断する材料を使用した複合素材を用いて、前記パスポートの外部もしくは内部全面または外部もしくは内部一部分に設置する構成により、外部からの前記電磁波からＩＣに個人情報データが記録されたパスポートを保護し、且つ前記個人情報データの盗難を目的とした外部機器からの複製及び収集行為を防ぐことが可能となり、保護や盗難防止として役立つ。【００１１】  また上述のような電磁波を遮断する素材を内蔵していない前記セキュリティーパスポートの構成では、動物の革製、人工的に作った人工革製、布製、ナイロン製、ビニール製などでつくられた前記ＩＣ内蔵型パスポートを収納する収納ケースに、前記ＩＣ内蔵型パスポートに対して反応する電磁波を遮断するシート、もしくは前記シートを使用した複合素材、または電磁波を遮断する材料を使用した複合素材を用いて、前記収納ケースの外部もしくは内部全面または外部もしくは内部一部分に設置する前記収納ケースに前記ＩＣ内蔵型パスポートを収納して挟む構成により、外部からの前記電磁波からＩＣに個人情報データが記録されたパスポートを保護し、且つ前記個人情報データの盗難を目的とした外部機器からの複製及び収集行為を防ぐことが可能となり、保護や盗難防止として役立つ。【００１２】  さらに上述のような電磁波を遮断する素材を内蔵していない前記セキュリティーパスポートの構成では、動物の革製、人工的に作った人工革製、布製、ナイロン製、ビニール製などでつくられた前記ＩＣ内蔵型パスポートを収納する収納袋に、前記ＩＣ内蔵型パスポートに対して反応する電磁波を遮断するシート、もしくは前記シートを使用した複合素材、または電磁波を遮断する材料を使用した複合素材を用いて、前記収納袋の外部もしくは内部全面または外部もしくは内部一部分に設置する前記収納袋に前記ＩＣ内蔵型パスポートを収納して囲む構成により、外部からの前記電磁波からＩＣに個人情報データが記録されたパスポートを保護し、且つ前記個人情報データの盗難を目的とした外部機器からの複製及び収集行為を防ぐことが可能となり、保護や盗難防止として役立つ。
【考案を実施するための最良の形態】
【００１３】  以下、本考案に係るセキュリティーパスポートの実施の形態を図１〜図６に基づいて詳細に説明する。
【実施例】
【００１４】  ＩＣ内蔵型パスポートの定義は、外部は厚紙に樹脂などをコートした複合剤、内部は紙、及び前記紙に特殊印刷をしたものの間にＩＣとアンテナが内蔵されているパスポートとする。【００１５】  前記ＩＣ内蔵型パスポートを収納する収納ケース及び収納袋の材料は動物の革製とは限らず、人工的に作った人工革製、布製、ナイロン製、ビニール製、樹脂製、金属製、カーボン製、または複合素材などがあるが、実施例に使用する材料として牛の革を採用する。【００１６】  図１は本考案の一実施例を適用した一般的に使用されているＩＣとアンテナを内蔵し、前記ＩＣに個人情報データを記録しているＩＣ内蔵型パスポートに対して反応する電磁波を遮断するシートを前記ＩＣパスポートの内側全面に設置したセキュリティーパスポートの概要を模式的に示す構成説明図であり、図２は上記図１の一実施例に対する断面図である。【００１７】  図３は本考案の一実施例を適用した一般的に使用されている動物の革でつくられたパスポートを収納する収納ケースにＩＣとアンテナを内蔵し、前記ＩＣに個人情報データを記録しているＩＣ内蔵型パスポートに対して反応する電磁波を遮断するシートを用いて、前記収納ケースの内側に設置して前記収納ケースに収納したセキュリティーパスポートの概要を模式的に示す構成説明図であり、図４は上記図３の一実施例に対する断面図である。【００１８】  図５は本考案の一実施例を適用した一般的に使用されている動物の革でつくられた旅行鞄に内接したにパスポートを収納する収納袋にＩＣとアンテナを内蔵し、前記ＩＣに個人情報データを記録しているＩＣ内蔵型パスポートに対して反応する電磁波を遮断するシートを用いて、前記収納袋の内側に設置して前記収納袋に収納したセキュリティーパスポートの概要を模式的に示す構成説明図であり、図６は上記図５の一実施例に対する断面図である。【００１９】  即ち、図１、図２に示す実施例、一般的に使用されているＩＣとアンテナを内蔵し、前記ＩＣに個人情報データを記録しているＩＣ内蔵型パスポートに対して反応する電磁波を遮断するシートを前記ＩＣパスポートの内側全面に設置したセキュリティーパスポートの構成において、外側は表面樹脂コート厚紙１１及び裏面樹脂コート厚紙１２、内側は数枚の特殊印刷用紙１３、さらに前記特殊印刷用紙１３に内蔵されたＩＣ部（集積回路、記録媒体）１４Ａとアンテナ１４Ｂでつくられたパスポート１０に対して、前記表面樹脂コート厚紙１１と前記裏面樹脂コート厚紙１２の内側全面に電磁波シールド繊維１６を接着する構成により、前記パスポート１０内にある前記ＩＣ部（集積回路、記録媒体）１４Ａ及び個人情報データ１５を外部機器（リーダー／ライター）２４から出力される電磁波２５を遮断して保護し万全なセキュリティーが可能となる。【００２０】  即ち、図３、図４に示す実施例、一般的に使用されている動物の革でつくられたパスポートを収納する収納ケースにＩＣとアンテナを内蔵し、前記ＩＣに個人情報データを記録しているＩＣ内蔵型パスポートに対して反応する電磁波を遮断するシートを用いて、前記収納ケースの内側に設置して前記収納ケースに収納したセキュリティーパスポートの構成において、外側は表面樹脂���ート厚紙１１及び裏面樹脂コート厚紙１２、内側は数枚の特殊印刷用紙１３、さらに前記特殊印刷用紙１３で内蔵されたＩＣ部（集積回路、記録媒体）１４Ａとアンテナ１４Ｂで構成され、前記表面樹脂コート厚紙１１と前記裏面樹脂コート厚紙１２の内側全面に電磁波シールド繊維１６を内蔵されていないパスポート１０に対して、牛革１７でつくられた牛革パスポートケース１８の牛革パスポートケース表面１９と牛革パスポートケース裏面２０の間全面に電磁波シールド繊維１６を挟み、前記牛革パスポートケース１８に前記パスポート１０を収納して前記電磁波シールド繊維１６で挟む構成により前記パスポート１０内にある前記ＩＣ部（集積回路、記録媒体）１４Ａ及び個人情報データ１５を外部機器（リーダー／ライター）２４から出力される電磁波２５を遮断して保護し万全なセキュリティーが可能となる。【００２１】  即ち、図５、図６に示す実施例、一般的に使用されている動物の革でつくられた旅行鞄に内接したにパスポートを収納する収納袋にＩＣとアンテナを内蔵し、前記ＩＣに個人情報データを記録しているＩＣ内蔵型パスポートに対して反応する電磁波を遮断するシートを用いて、前記収納袋の内側に設置して前記収納袋に収納したセキュリティーパスポートの構成において、外側は表面樹脂コート厚紙１１及び裏面樹脂コート厚紙１２、内側は数枚の特殊印刷用紙１３、さらに前記特殊印刷用紙１３で内蔵されたＩＣ部（集積回路、記録媒体）１４Ａとアンテナ１４Ｂで構成され、前記表面樹脂コート厚紙１１と前記裏面樹脂コート厚紙１２の内側全面に電磁波シールド繊維１６を内蔵されていないパスポート１０に対して、牛革１７でつくられた旅行鞄２１に前記旅行鞄２１の外側より前記パスポート１０の取り出しが可能なようにファスナー２３を設置して前記旅行鞄２１の前記ファスナー２３の内側に内接された収納袋２２の裏面全面に電磁波シールド繊維１６を接着して、前記パスポート１０を前記収納袋２２に収納して前記電磁波シールド繊維１６で囲む構成により前記パスポート１０内にある前記ＩＣ部（集積回路、記録媒体）１４Ａ及び個人情報データ１５を外部機器（リーダー／ライター）２４から出力される電磁波２５を遮断して保護し万全なセキュリティーが可能となる。【００２２】  上述の一実施例に示す図１、図３及び図５は、電磁波シールド繊維１６を使用したが、前記電磁波シールド繊維１６以外の電磁波シールド材としては薄膜金属シート、塗料、粉末、フィルム、メッシュ、接着剤、テープ、粘着テープなど多数存在し、形態としてパスポート１０に内蔵、牛革パスポートケース１８に構成及び収納袋２２に構成可能である。【００２３】  上述の一実施例示す図１は、パスポート１０の材料である表面樹脂コート厚紙１１と前記裏面樹脂コート厚紙１２の内側全面に電磁波シールド繊維１６を接着して外部機器（リーダー／ライター）２４から出力される電磁波２５を遮断する実施形態一例として構成したが、上述のように電磁波シールド材は多数存在し、前記表面樹脂コート厚紙１１と前記裏面樹脂コート厚紙１２と前記電磁波シールド材の色々な組み合わせにより、多種構成や複合材を用いたセキュリティーパスポートを可能とする。【００２４】  上述��一実施例示す図３は、パスポート１０を収納する牛革パスポートケース１８の牛革パスポートケース表面１９と牛革パスポートケース裏面２０の間全面に電磁波シールド繊維１６を挟み、前記牛革パスポートケース１８に前記パスポート１０を収納して外部機器（リーダー／ライター）２４から出力される電磁波２５を遮断する実施形態一例として構成したが、上述のように電磁波シールド材及びパスポートケース材は多数存在し、前記電磁波シールド材と前記パスポートケース材の色々な組み合わせにより、多種構成や複合材を用いたセキュリティーパスポートを可能とする。【００２５】  一般的に使用されているパスポートケース１８及び旅行鞄２１に内接した収納袋２２の材料として牛革１７は上述の内容は一例であり、前記牛革１７に電磁波シールド繊維１６を内蔵する方法として接着、圧入、挟みこみなど多数存在する。【００２６】  今回、上述の一実施例示す図５、図６のように旅行鞄２１に内接した収納袋２２に電磁波シールド繊維１６を接着する形態を一例に取り上げたが、特に前記旅行鞄２１である必要はなくまた、前記旅行鞄２１に前記収納袋２２を内接する形態である必要もなく、単体で前記収納袋２２に前記電磁波シールド繊維１６を内蔵してパスポート１０を収納しても同様の機能があるセキュリティーパスポートを可能とする。【００２７】  通常の電磁波シールド繊維１６は、電磁波２５の周波数遮断範囲及び遮断量の仕様により材料及び構成内容が異なるが、材料としては、ニッケル、コバルト、クロム、アルミ、チタン、銀、プラチナ、金、銅、マンガンなどを使用してメッシュ状やシート状に加工構成するのが一般的に使用されている。【００２８】  従って本実施例の構成では、先に述べた従来例の場合と比較して次のようなそれぞれの効果が得られる。即ち、
（１）ＩＣもしくはＩＣとアンテナを内蔵し、前記ＩＣに個人情報データを記録しているパスポートに対して反応する電磁波を遮断するシートを用いて前記パスポート内部に設置および構成することで、前記パスポートの保護や前記パスポート内にある個人情報データの盗難を目的とした外部機器からの複製及び収集行為を防ぐセキュリティーパスポートが可能となる。
（２）ＩＣもしくはＩＣとアンテナを内蔵し、前記ＩＣに個人情報データを記録しているパスポートに対して反応する電磁波を遮断するシート素材は柔軟性や加工性にすぐれているため、デザインや色調を重視しているパスポートケースの内側及び旅行鞄の収納袋に前記シート素材を内蔵することで、デザインや色調を変えずに前記パスポートに反応する外部からの電磁波を遮断し、ＩＣに個人情報データが記録された前記パスポートを守り、且つ前記情報データの盗難を目的とした外部機器からの複製及び収集行為を防ぐセキュリティーパスポートが可能となる。
【図面の簡単な説明】
【００２９】
【図１】  図１は本考案の一実施例を適用した一般的に使用されているＩＣとアンテナを内蔵し、前記ＩＣに個人情報データを記録しているＩＣ内蔵型パスポートに対して反応する電磁波を遮断するシートを前記ＩＣパスポートの内側全面に設置したセキュリティーパスポートの概要を模式的に示す構成説明図である。
【図２】  図２は上記図１の一実施例に対する断面図及び構成の概要を模式的に示す構成説明図である。
【図３】  図３は本考案の一実施例を適用した一般的に使用されている動物の革でつくられたパスポートを収納する収納ケースにＩＣとアンテナを内蔵し、前記ＩＣに個人情報データを記録しているＩＣ内蔵型パスポートに対して反応する電磁波を遮断するシートを用いて、前記収納ケースの内側に設置して前記収納ケースに収納したセキュリティーパスポートの概要を模式的に示す構成説明図である。
【図４】  図４は上記図３の一実施例に対する断面図及び構成の概要を模式的に示す構成説明図である。
【図５】  図５は本考案の一実施例を適用した一般的に使用されている動物の革でつくられた旅行鞄に内接したにパスポートを収納する収納袋にＩＣとアンテナを内蔵し、前記ＩＣに個人情報データを記録しているＩＣ内蔵型パスポートに対して反応する電磁波を遮断するシートを用いて、前記収納袋の内側に設置して前記収納袋に収納したセキュリティーパスポートの概要を模式的に示す構成説明図である。
【図６】  図６は上記図５の一実施例に対する断面図及び構成の概要を模式的に示す構成説明図である。
【符号の説明】
【００３０】１０    パスポート
１１    表面樹脂コート厚紙
１２    裏面樹脂コート厚紙
１３    特殊印刷用紙
１４Ａ  ＩＣ部（集積回路、記録媒体）
１４Ｂ  アンテナ
１５    個人情報データ
１６    電磁波シールド繊維
１７    牛革
１８    牛革パスポートケース
１９    牛革パスポートケース表面
２０    牛革パスポートケース裏面
２１    旅行鞄
２２    収納袋
２３    ファスナー
２４    外部機器（リーダー／ライター）
２５    電磁波
【図１】
0003115256.tif 000003
【図２】
0003115256.tif 000004
【図３】
0003115256.tif 000005
【図４】
0003115256.tif 000006
【図５】
0003115256.tif 000007
【図６】
0003115256.tif 000008